(57)【特許請求の範囲】
【請求項１】
防じん・防毒いずれかの機能を有するマスクの吸気口前面側を一時的に気密状態で閉じることによって前記マスクの着用者顔面に対する密着状態を点検可能な開閉装置において、
前記装置が、前記マスクの吸気口前面に取り付けられる防じん用および防毒用いずれかのフィルタユニットに前面側から固定される枠部材と、回転軸を介して前記枠部材に回転可能に支持されており前記枠部材を外側から覆う蓋部材とからなり、前記枠部材には前記回転軸の周囲に該枠部材の内外を貫通して前記フィルタユニットに通じることが可能な少なくとも一つの透孔が形成され、前記蓋部材には、該蓋部材の回転角度に対応して前記透孔を気密状態で閉じることが可能な第１部位と前記透孔を外気に向かって開放することが可能な第２部位とが前記回転軸を中心とする同心円上に形成されていることを特徴とする前記装置。
【請求項２】
前記枠部材の前記透孔の周囲と前記蓋部材の前記第１部位とには、前記蓋部材が前記透孔を閉じる方向へ回転すると、その回転方向から互いに摺接して密着可能な傾斜面が形成されている請求項１記載の装置。
【請求項３】
前記蓋部材が円盤状のものであって外周縁部に径方向内方への第２突起部を有し、前記枠部材には、前記枠部材の円を画く外周縁部に、前記蓋部材を前記透孔の閉じる方向へ回転させると前記第１部位を前記透孔の周囲に密着させるように前記第２突起部が前記マスクの後方から圧接する径方向外方へ延びた第１突起部を有している請求項１または２記載の装置。
【請求項４】
前記フィルタユニットが防じん用フィルタおよび防毒用フィルタの少なくとも一方であって、前記枠部材の内側には、その内側を気密状態に保つことができるように、前記防じん用フィルタの周縁部に密着可能な環状の第１隆起部と、前記防毒用フィルタの周縁部に密着可能な環状の第２隆起部とのうちの少なくとも一方が形成されている請求項１〜３のいずれかに記載の装置。
【発明の詳細な説明】
【０００１】
【発明の属する技術分野】
この発明は、防じん用および／または防毒用マスクに取り付けられるフィルタユニットを大気側において一時的に密閉することができる開閉装置に関する。
【０００２】
【従来の技術】
実公昭６０−４１２４３号公報に開示の防じんマスクは、着用者の顔面に対するフィッティング状態の良否を判断するためのフィッティングテスタを有する。このテスタは、マスクの吸気口を開閉する弁体と、弁体から上方へ長く延びた操作用レバーとを有する。マスクを着用し、このレバーを下降させて弁体で吸気口を閉じた後に息を吸うことによって、マスクが顔面によくフィットしているか否かを判断することができる。
【０００３】
【発明が解決しようとする課題】
前記公知のマスクでは、テスタがマスクに対して取り付けられ、フィルタは、テスタよりも前方においてマスクに取り付けられる。それゆえ、このマスクでは、マスクと顔面との気密性について良否を判断することができても、マスクとフィルタとの間の気密性の良否を判断することができない。また、このマスクでは、マスクの吸気口の開口面積を大きくするほど弁体が大きくなり、それに伴って操作用レバーが長くなる。長くなった操作用レバーは、マスクの外方へそれだけ長く突出して周囲のものにぶつかり易くなり、損傷を受けることが多くなる。
【０００４】
【課題を解決するための手段】
前記課題を解決するために、この発明が対象とするのは、防じん・防毒いずれかの機能を有するマスクの吸気口前面側を一時的に気密状態で閉じることによって前記マスクの着用者の顔面に対する密着状態を点検可能な開閉装置である。
【０００５】
かかる装置において、この発明が特徴とするところは、以下のとおりである。
前記装置が、前記マスクの吸気口前面に取り付けられる防じん用および防毒用いずれかのフィルタユニットに前面側から固定される枠部材と、回転軸を介して前記枠部材に回転可能に支持されており前記枠部材を外側から覆う蓋部材とからなり、前記枠部材には前記回転軸の周囲に該枠部材の内外を貫通して前記フィルタユニットに通じることが可能な少なくとも一つの透孔が形成され、前記蓋部材には、該蓋部材の回転角度に対応して前記透孔を気密状態で閉じることが可能な第１部位と前記透孔を外気に向かって開放することが可能な第２部位とが前記回転軸を中心とする同心円上に形成されている。
【０００６】
【発明の実施の形態】
添付の図面を参照して、この発明に係るフィルタユニットの開閉装置の詳細を説明すると、以下のとおりである。
【０００７】
図１は、この発明に係るフィルタユニットの開閉装置５が使用されている防じん・防毒用マスク１の斜視図である。マスク１は、ヘッドバンド２によって着用者の顔面に密着し固定される面体３と、面体３の前面側に取り外し可能に取り付けられたフィルタユニット４と、フィルタユニット４の前面側に取り付けられた開閉装置５とを有する。図において、開閉装置５はその通気孔６（図４参照）が開いた状態にあり、通気孔６の内側には防じん用フィルタ７が見える。外気は、通気孔６から入って防じん用フィルタ７でろ過されてマスク３の内方ヘと進む。開閉装置５は、摘み３６を矢印Ａ方向へ動かすことによって蓋部材３２（図３，４参照）を軸９を中心に回転させ、通気孔６を閉じることができる。かかるマスク１は、着用したならば、通気孔６を閉じて息を吸うと、マスク１が気密状態にあるか否かをマスク１の使用に先立って判断することができる。
【０００８】
図２、３は、図１の側面図とその部分拡大図である。ただし、図２において、フィルタユニット４と開閉装置５とは、線ＰＱＲに沿った断面で示されている。マスク１の面体３は、硬質プラスチックで形成された前部１３と軟質弾性プラスチックで形成された後部１４とを有し、前部１３は外側へ向かって延びる吸気口１６と、吸気口１６の内端部に面体３の内側へ向かって開くことが可能な吸気用の逆止弁(図示せず)と、吸気口１６の下方にあって外側へ向かって開くことが可能な排気用の逆止弁１７が取り付けられた排気口１８とを備えている。後部１４は、着用者の口許と鼻孔とを覆うことができるように大きく開口している。
【０００９】
フィルタユニット４は、面体３寄りに位置する防毒用フィルタとしての吸収缶１９と、吸収缶１９の前面側に密着しているシート状の防じん用フィルタ７とからなる。ただし、フィルタユニット４は、防じん用フィルタ７を吸収缶１９から外した状態で使用することもできる。吸収缶１９は、金属やプラスチックからなる硬質容器と、その中に充填された吸着剤２１とからなる。吸収缶１９の後端部分は、面体３の吸気口１６に前方から取り外し可能に気密状態で螺着し、後端面には複数の通気孔２３が形成されている。吸収缶１９の前端部分は、面体３の吸気口１６から前方へ突出し、その前端面には複数の通気孔２４が形成され、その通気孔２４が防じん用フィルタ７で覆われている。防じん用フィルタ７は、開閉装置５の作用によって吸収缶１９の前端面に固定されている。
【００１０】
開閉装置５は、吸収缶１９の前端部分に位置する枠部材３１と、枠部材３１の前方に位置する蓋部材３２とからなる。蓋部材３２は、軸部９が枠部材３１の軸孔３４に挿入され、軸部９を中心に回転可能である。その回転を容易にするために、蓋部材３２の周縁部には摘み３６が形成されている。軸部９と軸孔３４の周面との間には気密性を保つためのＯ−リング３７が介在している。
【００１１】
開閉装置５の枠部材３１は、円錐形を呈する前部３８と円筒形を呈する後部３９とを有し、前部３８の中央には軸孔３４が形成されている。図３において明らかなように、前部３８の外周縁部内面には、環状の第１隆起部４１と、その外側に位置する環状の第２隆起部４２とが形成されている。第１隆起部４１は、防じん用フィルタ７の周縁部に前方から圧接してフィルタ７を吸収缶１９の前面に固定している。第２隆起部４２は、吸収缶１９の周縁部に前方から気密状態で圧接している。枠部材３１の後部３９は、吸収缶１９の前端部に嵌合し、後部３９の内周面に径方向内向きに形成された爪４６が吸収缶１９の周面で周り方向ヘ延びている段差部４７に後方（図２の右方）から圧接している。かくして枠部材３１は、第１，２隆起部４１，４２と爪４６とで吸収缶１９の周縁部に前後方向から強く当接し、マスク１の使用上において吸収缶１９に実質的に固定された状態にある。
【００１２】
開閉装置５の蓋部材３２は、軸部９と周縁部４９とを有し、軸部９の内端部には軸孔３４の内端部周縁に後方から当接する抜け止め用の爪５０が形成されている。周縁部４９は、蓋部材３１の周方向に間欠的に形成され、径方向内方ヘ延びる扁平な第２小突起５２を有する。
【００１３】
図４、５は、開閉装置５の平面図であって、図４は、図１における装置５の状態に対応している。図５は、図４の摘持部３６を持って蓋部材３２を矢印Ａ方向へ回転させたときの装置５の部分破断平面図である。図５から明らかなように、枠部材３１は、蓋部材３２の軸部９を中心とする同心円の上に等間隔で形成された複数の第１通気孔６１と、外周縁部に沿って間欠的に形成され、径方向外方ヘ延びる第１小突起５１（図２参照）と、第１通気孔６１の周縁部に形成されたリブ６４とを有し、外周縁部の外側には第１，２ストッパー６６，６７が形成されている。蓋部材３２は、軸部９を中心とする同心円の上に等間隔で形成された複数の第２透孔６２と、第２透孔６２と６２との間に形成された中間部６８とを有する。第１透孔６１と第２透孔６２とは、実質的に同形同大であって、摘持部３６が第１ストッパー６６に当接しているときには、両透孔６１，６２の位置が一致して、図１，４に示されるように開閉装置５の通気孔６を形成する。図４における蓋部材３２は、第１，２ストッパー６６，６７の間に位置する摘持部３６が第２ストッパー６７に当接するところまで回転すると、図５に示されるように、中間部６８で枠部材３１の第１通気孔６１を閉じることができる。すなわち、蓋部材３２は、その回転角度に対応して第１透孔６１を開閉することができる。
【００１４】
図６は、開閉装置５の部分断面図である。（ａ）は図４におけるＶＩ−ＶＩ線矢視図であって枠部材３１と蓋部材３２との状態を示し、（ｂ）は（ａ）においてその蓋部材３２を矢印Ａ方向(図１、４参照)へ回転させたときの状態を示している。図の（ａ）では、第１、２通気孔６１，６２の位置が一致していて、開閉装置５には通気孔６が形成され、マスク着用者は自由に呼吸することができる。図の（ｂ）では、枠部材３１の第１通気孔６１が蓋部材３２の中間部６８によって気密状態で閉じている。この中間部６８は、第１通気孔６１の周縁部に密着して第１通気孔６１を気密状態で閉じるように作用させるための部分であり、その作用を確実にするために、図示例の枠部材３１におけるリブ６４の頂部には、蓋部材３２の閉じるときの回転方向Ａへ向かって上り勾配となる傾斜面７１が形成されている。また、蓋部材３２の中間部６８が枠部材３１と向かい合う面には、リブ６４の傾斜面７１と同程度の傾きを有する傾斜面７２が形成されている。（ａ）において蓋部材３２が矢印Ａ方向へ回転すると、蓋部材３２の傾斜面７２が枠部材３１の傾斜面７１の上を摺動して傾斜面７１，７２どうしが互いに密着する。枠部材３１と蓋部材３２とは、傾斜面７１と７２とが強く密着できるように、両部材３１、３２の間隔が調整されている。
【００１５】
図７は、図５のＶＩＩ−ＶＩＩ線断面図である。第１通気孔６１が閉じたときに傾斜面７１と７２とが確実に密着するように蓋部材３２の周縁部には径方向内方ヘ延びる第２小突起５２が形成されている(図２を併せて参照)。蓋部材３２が第１通気孔６１を閉じると、第２小突起５２が枠部材３１の第１小突起５１にマスク１の後方から圧接する。
【００１６】
このように作用する開閉装置５が取り付けられたマスク１は、蓋部材３２を回転させて枠部材３１の第１通気孔６１を閉じると、吸気口１６よりも前方の部分が気密状態になる。それゆえ、着用したマスク１をこの気密状態にセットして息を吸えば、マスク１と着用者の顔面との接触が良好な気密状態にあるか否かを簡単かつ確実に判断できる。第１通気孔６１は、フィルタユニット４の前面の面積をおよそ１／２を上限として外気へ直接的に開放することができる。その開放面積を閉じるための蓋部材３２の大きさは、開放面積の大小に関係なく一定している。その蓋部材３２を回転させるための摘持部３６は、枠部材３１の第１、２ストッパー６６，６７の間に位置することによって、その摘持部３６が周囲の物にぶつかって不用意に動いたり、損傷を受けたりすることがないようにガードされている。
【００１７】
開閉装置５は、枠部材３１の後部３９が径方向へ弾性変形可能なもので、図２、３の状態において、開閉装置５を面体３に対して左方へ引張ると、枠部材３１の爪４６が吸収缶１９の段差部４７から外れ、開閉装置５をフィルタユニット４から分離することができる。分離した開閉装置５は、フィルタユニット４に対して押圧すると、枠部材３１が弾性変形してユニット４に嵌合し、図２、３の状態になる。
【００１８】
この発明に係る開閉装置５は、蓋部材３２によって枠部材３１の第１通気孔６１を密閉するものであり、枠部材３１と蓋部材３２とに互いに圧接可能に形成された傾斜面７１と７２や第１、２小突起５１と５２は、そのような密閉を確実にするための手段の一例である。この発明は、これらの手段を省いたり、これらの手段に代えて別の手段を採用して実施することが可能である。また、図示例で吸収缶１９に対して着脱可能な開閉装置５は、吸収缶１９以外のフィルタユニットやフィルタユニットが取り付けられている面体３に対して着脱可能に作られていてもよい。さらにはまた、開閉装置５は、吸収缶１９等のフィルタユニットに対して、またはフィルタユニットが取り付けられている面体３に対して取り外し不能に作られていてもよい。
【００１９】
【発明の効果】
この発明に係るフィルタユニットの開閉装置は、マスクの面体に取り付けられているフィルタユニットの通気孔を閉じて着用したマスクの気密状態の良否を点検できるから、フィルタユニットと面体との取り付け部位における気密性の不良および面体とマスク着用者の顔面との気密性の不良を容易に発見することができる。
【図面の簡単な説明】
【図１】  開閉装置が取りつけられたマスクの斜視図。
【図２】  図１のＰＱＲ線矢視図。
【図３】  図２の部分拡大図。
【図４】  透孔が開いている開閉装置の平面図。
【図５】  透孔が閉じている開閉装置の部分破断平面図。
【図６】  開閉装置の部分断面図。（ａ）は図５のＶＩ−ＶＩ線断面を示し、（ｂ）は（ａ）において蓋部材が回転した状態を示す。
【図７】  図５のＶＩＩ−ＶＩＩ線矢視図。
【符号の説明】
１      マスク
４      フィルタユニット
５      開閉装置
７      フィルタ
９      軸
１６      吸気口
１９      フィルタ
３１      枠部材
３２      蓋部材
４１      第１隆起部
４２      第２隆起部
５１      第１突起部（第１小突起）
５２      第２突起部（第２小突起）
６１      透孔
６２      第２部位
６８      第１部位
７１      傾斜面
７２      傾斜面
【図１】
0003785430.tif 000002
【図２】
0003785430.tif 000003
【図３】
0003785430.tif 000004
【図４】
0003785430.tif 000005
【図５】
0003785430.tif 000006
【図６】
0003785430.tif 000007
【図７】
0003785430.tif 000008